(57)【特許請求の範囲】
【請求項１】
端面および第１光出射面を有し、光散乱粒子を含有する導光板と、
前記端面に沿って配置され、前記端面から光を入射する複数の光源と、
前記導光板の前記第１光出射面の側に配置され、前記第１光出射面から出射した光が入射する第１光入射面、および、この第１光入射面から入射した光が出射する第２光出射面を有する拡散板とを有する照明モジュールであって、
前記拡散板は、前記導光板側に突出し、前記導光板の前記第１光出射面の周縁部のうち少なくとも前記光源が配列される前記端面側の周縁部に対向する位置に設けられ、前記周縁部から出射する光が入射する第２光入射面を有する凸条部を有し、
前記導光板の前記第１光出射面には、前記複数の光源のうち隣接する２つの光源の間のそれぞれに位置し、前記光源の配列方向に沿った幅が前記端面から離れるに従って狭くなるような構造を有する複数の光拡散領域が形成されており、
前記光拡散領域における前記光源の配列方向に沿った幅は、「前記隣接する２つの光源間の中心線上にある所定の点を頂点とし、前記隣接する２つの光源の対向する端部を結ぶ線分を底辺とする三角形」における前記光源の配列方向に沿った幅よりも広いことを特徴とする照明モジュール。
【請求項２】
請求項１に記載の照明モジュールにおいて、
前記光拡散領域の平面形状は、釣り鐘形状であることを特徴とする照明モジュール。
【請求項３】
請求項１に記載の照明モジュールにおいて、
前記光拡散領域の平面形状は、台形形状であることを特徴とする照明モジュール。
【請求項４】
請求項１〜３のいずれかに記載の照明モジュールにおいて、
前記光拡散領域には、多数の微細光散乱体が形成されていることを特徴とする照明モジュール。
【請求項５】
請求項４に記載の照明モジュールにおいて、
前記微細光散乱体は、レンズ状凸部もしくはレンズ状凹部、または、Λ字状筋もしくはＶ字状溝からなることを特徴とする照明モジュール。
【請求項６】
請求項４又は５に記載の照明モジュールにおいて、
前記光拡散領域は、前記隣接する２つの光源間の中心線から前記光源の配列方向に沿って離れるに従って密から粗となるように、かつ、前記光源が配置されている端面から当該端面に直交する方向に沿って離れるに従って密から粗となるように前記微細光散乱体が配置されていることを特徴とする照明モジュール。
【請求項７】
請求項１〜６のいずれかに記載の照明モジュールにおいて、
前記光拡散領域は、前記第２光入射面と対向する領域から前記光源の出射方向側に突出しないことを特徴とする照明モジュール。
【請求項８】
請求項１〜６のいずれかに記載の照明モジュールにおいて、
前記光拡散領域は、前記第２光入射面と対向する領域から前記光源の出射方向側に突出することを特徴とする照明モジュール。
【請求項９】
請求項１〜８のいずれかに記載の照明モジュールにおいて、
前記周縁部と前記第２光入射面との間には、前記周縁部から出射した光が前記第２光入射面に入射する光量を制限する光遮蔽部が配設されていることを特徴とする照明モジュール。
【請求項１０】
請求項９に記載の照明モジュールにおいて、
前記光遮蔽部は、前記光源を前記照明モジュールに取り付ける取付部材に配設されていることを特徴とする照明モジュール。
【請求項１１】
請求項９又は１０に記載の照明モジュールにおいて、
前記光遮蔽部は、前記光源の配列方向に沿って交互に配置される凸部および凹部を有し、
前記凸部の形成範囲内に前記光源が配置されていることを特徴とする照明モジュール。
【請求項１２】
請求項１〜１１のいずれかに記載の照明モジュールにおいて、
前記拡散板は、前記凸条部の外周端面に対向する内側側面に、前記光源の配列方向に沿って形成された波型の凹凸構造を有することを特徴とする照明モジュール。
【請求項１３】
請求項１〜１２のいずれかに記載の照明モジュールにおいて、
前記拡散板は、前記凸条部の前記第２光入射面に、前記凸条部を横断するＶ字状溝を備えることを特徴とする照明モジュール。
【請求項１４】
請求項１〜１３のいずれかに記載の照明モジュールにおいて、
前記複数の光源のうち両端部に位置する各光源と前記端面に直交する別の端面との間においても、前記端面から離れるに従って狭くなるような構造を有する第２の光拡散領域がそれぞれ形成されていることを特徴とする照明モジュール。
【請求項１５】
請求項１〜１４のいずれかに記載の照明モジュールにおいて、
前記光源は、ＬＥＤ光源であることを特徴とする照明モジュール。
【請求項１６】
複数の照明モジュールを備える大型照明装置であって、
前記複数の照明モジュールの各々は、請求項１〜１５のいずれかに記載の照明モジュールであり、
前記複数の照明モジュールは、前記拡散板の外周端面同士が密接するように配設されていることを特徴とする大型照明装置。
【発明の詳細な説明】
【技術分野】
【０００１】
本発明は、照明モジュールおよび大型照明装置に関する。
【背景技術】
【０００２】
従来、拡散板の光出射面の周縁部が縁取りされたように暗くならない照明モジュールが知られている（例えば、特許文献１参照。）。
図２０および図２１は、従来の照明モジュール９０１を説明するために示す図である。図２２および図２３は、従来の照明モジュール９０１に用いる導光板２０を説明するために示す図である。図２０（ａ）は照明モジュール９０１の平面図であり、図２０（ｂ）は照明モジュール９０１が有する導光板２０の要部拡大図である。図２１（ａ）は図２０（ａ）におけるＡ１−Ａ１断面図であり、図２１（ｂ）は図２０（ａ）におけるＡ２−Ａ２断面図である。図２２は従来の照明モジュール９０１が有する導光板２０の要部拡大平面図であり、図２３は従来の照明モジュール９０１が有する別の導光板２０の要部拡大平面図である。なお、本明細書において、矢視Ｘ１方向を右側（右辺側）、矢視Ｘ２方向を左側（左辺側）、矢視Ｙ１方向を後方（後辺側）、矢視Ｙ２方向を前方（前辺側）、矢視Ｚ１方向を上方向（上側側）、矢視Ｚ２方向を下方向（下面側）とそれぞれ規定して説明する。なお、矢視Ｚ１方向を表面側と、また、矢視Ｚ２方向を裏面側と記載することもある。
【０００３】
従来の照明モジュール９０１は、図２０および図２１に示すように、端面２１および第１光出射面２３を有する導光板２０と、端面２１に沿って配置され、端面２１から光を入射する複数の光源３０と、導光板２０の第１光出射面２３の側に配置され、第１光出射面２３から出射した光が入射する第１光入射面５５、および、第１光入射面５５から入射した光が出射する第２光出射面５６を有する拡散板５０とを備える。拡散板５０は、導光板２０側に突出し、導光板２０の第１光出射面２３の周縁部のうち少なくとも光源３０が配列される端面２１側の周縁部２６に対向する位置に設けられ、周縁部２６から出射する光が入射する第２光入射面５２を有する凸条部５１を有する。そして、従来の照明モジュール９０１においては、図２２に示すように、導光板２０の第１光出射面２３には、複数の光源３０のうち隣接する２つの光源３０の間のそれぞれに位置し、光源３０の配列方向に沿った幅が端面２１から離れるに従って狭くなるような構造を有する複数の光拡散領域９２５が形成されている。
【０００４】
従来の照明モジュール９０１によれば、拡散板５０は、導光板２０側に突出し、導光板２０の第１光出射面２３の周縁部２６のうち少なくとも光源３０が配列される端面２１側の周縁部に対向する位置に設けられ、周縁部２６から出射する光が入射する第２光入射面５２を有する凸条部５１を有することから、導光板２０の周縁部２６から出射し凸条部５１の第２光入射面５２に入射した光の一部は、凸条部５１の内側側面と外周端面とで全反射されながら、また、光散乱粒子で散乱されながら進行し、拡散板５０の光出射面（第２光出射面５６）の周縁部から出射する。これにより、拡散板の第２出射面の周縁部が縁取りされたように暗くならなくなる。
【０００５】
ところで、導光板として、光拡散領域が形成されていない導光板を有する照明モジュールにおいては、光源の光出射方向の直近では明るく、光出射方向からずれた周辺部分（複数の光源のうち隣接する２つの光源の間の領域）では暗くなる。これに対して、従来の照明モジュール９０１によれば、導光板２０の第１光出射面２３には、複数の光源３０のうち隣接する２つの光源の間のそれぞれに位置し、光源３０の配列方向に沿った幅が端面から離れるに従って狭くなるような構造を有する複数の光拡散領域９２５が形成されていることから、光拡散領域９２５において光が拡散されて当該光拡散領域９２５が明るくなり、第１光出射面２３において、光源の光出射方向の直近と、その周辺部分との明るさの差を少なくすることができる。その結果、凸条部５１を設けることとの相乗効果で、拡散板の周縁部が縁取りされたように暗くならず、拡散板の周縁部を含めて第２光出射面全体の明るさを均斉化できる。なお、光拡散領域９２５において拡散される光には、（ア）直近の端面に配置されている光源から浅い角度で周辺部分に入射した光および（イ）対向する端面に配置されている光源から導光板を経由して進行してきた光の両方を含む。
【０００６】
なお、従来の照明モジュール９０１は、図２２に示すように、導光板２０の第１出射面２３のうち光拡散領域９２５を除く領域全面が平坦面であるものであってもよいし、図２３に示すように、導光板２０の第１出射面２３のうち光拡散領域を除く領域全面にわたって微細光散乱体２８ａが形成されたものであってもよい。
【先行技術文献】
【特許文献】
【０００７】
【特許文献１】特開２０１４−１５００４９号公報
【発明の概要】
【発明が解決しようとする課題】
【０００８】
ところで、照明モジュールの技術分野においては、拡散板の周縁部を含めて光出射面全体の明るさをより一層均斉化できる照明モジュールが求められている。
【０００９】
そこで、本発明は、上記した事情に鑑みてなされたものであり、拡散板の周縁部を含めて光出射面全体の明るさをより一層均斉化できる照明モジュールを提供することを目的とする。
【課題を解決するための手段】
【００１０】
［１］本発明の照明モジュールは、端面および第１光出射面を有する導光板と、前記端面に沿って配置され、前記端面から光を入射する複数の光源と、前記導光板の前記第１光出射面の側に配置され、前記第１光出射面から出射した光が入射する第１光入射面、および、この第１光入射面から入射した光が出射する第２光出射面を有する拡散板とを有する照明モジュールであって、 前記拡散板は、前記導光板側に突出し、前記導光板の前記第１光出射面の周縁部のうち少なくとも前記光源が配列される前記端面側の周縁部に対向する位置に設けられ、前記周縁部から出射する光が入射する第２光入射面を有する凸条部を有し、前記導光板の前記第１光出射面には、前記複数の光源のうち隣接する２つの光源の間のそれぞれに位置し、前記光源の配列方向に沿った幅が前記端面から離れるに従って狭くなるような構造を有する複数の光拡散領域が形成されており、前記光拡散領域における前記光源の配列方向に沿った幅は、「前記隣接する２つの光源間の中心線上にある所定の点を頂点とし、前記隣接する２つの光源の対向する端部を結ぶ線分を底辺とする三角形」における前記光源の配列方向に沿った幅よりも広いことを特徴とする。
【００１１】
［２］本発明の照明モジュールにおいては、前記光拡散領域の平面形状は、釣り鐘形状であってもよい。
【００１２】
［３］本発明の照明モジュールにおいては、前記光拡散領域の平面形状は、台形形状であってもよい。
【００１３】
［４］本発明の照明モジュールにおいては、前記光拡散領域には、多数の微細光散乱体が形成されていることが好ましい。
【００１４】
［５］本発明の照明モジュールにおいては、前記微細光散乱体は、レンズ状凸部もしくはレンズ状凹部、または、Λ字状筋もしくはＶ字状溝からなることが好ましい。
【００１５】
［６］本発明の照明モジュールにおいては、前記光拡散領域は、前記隣接する２つの光源間の中心線から前記光源の配列方向に沿って離れるに従って密から粗となるように、かつ、前記光源が配置されている端面から当該端面に直交する方向に沿って離れるに従って密から粗となるように前記微細光散乱体が配置されていることが好ましい。
【００１６】
［７］本発明の照明モジュールにおいては、前記光拡散領域は、前記第２光入射面と対向する領域から前記光源の出射方向側に突出しないことが好ましい。
【００１７】
［８］本発明の照明モジュールにおいては、前記光拡散領域は、前記第２光入射面と対向する領域から前記光源の出射方向側に突出することも好ましい。
【００１８】
［９］本発明の照明モジュールにおいては、前記周縁部と前記第２光入射面との間には、前記周縁部から出射した光が前記第２光入射面に入射する光量を制限する光遮蔽部が配設されていることが好ましい。
【００１９】
［１０］本発明の照明モジュールにおいては、前記光遮蔽部は、前記光源を前記照明モジュールに取り付ける取付部材に配設されていることが好ましい。
【００２０】
［１１］本発明の照明モジュールにおいては、前記光遮蔽部は、前記光源の配列方向に沿って交互に配置される凸部および凹部を有し、前記凸部の形成範囲内に前記光源が配置されていることが好ましい。
【００２１】
［１２］本発明の照明モジュールにおいては、前記拡散板は、前記凸条部の外周端面に対向する内側側面に、前記光源の配列方向に沿って形成された波型の凹凸構造を有することが好ましい。
【００２２】
［１３］本発明の照明モジュールにおいては、前記拡散板は、前記凸条部の前記第２光入射面に、前記凸条部を横断するＶ字状溝を備えることが好ましい。
【００２３】
［１４］本発明の照明モジュールにおいては、前記複数の光源のうち両端部に位置する各光源と前記端面に直交する別の端面との間においても前記端面から離れるに従って狭くなるような構造を有する第２の光拡散領域がそれぞれ形成されていることが好ましい。
【００２４】
［１５］本発明の照明モジュールにおいては、前記光源は、ＬＥＤ光源であることが好ましい。
【００２５】
［１６］本発明の大型照明装置は、複数の照明モジュールを備える大型照明装置であって、前記複数の照明モジュールの各々は本発明の照明モジュールであり、前記複数の照明モジュールは、前記拡散板の外周端面同士が密接するように配設されていることを特徴とする。 
【発明の効果】
【００２６】
本発明の照明モジュールによれば、拡散板は、導光板側に突出し、導光板の第１光出射面の周縁部のうち少なくとも光源が配列される端面側の周縁部に対向する位置に設けられ、周縁部から出射する光が入射する第２光入射面を有する凸条部を有することから、導光板の周縁部から出射し凸条部の光入射面に入射した光の一部は、凸条部の内側側面と外周端面とで全反射されながら、また、光散乱粒子で散乱されながら進行し、拡散板の第２光出射面の周縁部から出射する。これにより、拡散板の第２光出射面の周縁部が縁取りされたように暗くならなくなる。
【００２７】
また、本発明の照明モジュールによれば、導光板の第１光出射面には、複数の光源のうち隣接する２つの光源の間のそれぞれに位置し、光源の配列方向に沿った幅が端面から離れるに従って狭くなるような構造を有する複数の光拡散領域が形成されていることから、光拡散領域において光が拡散されて当該光拡散領域が明るくなり、第１光出射面において、光源の光出射方向の直近と、その周辺部分との明るさの差を少なくすることができる。その結果、凸条部を設けることとの相乗効果で、拡散板の周縁部が縁取りされたように暗くならず、拡散板の周縁部を含めて第２光出射面全体の明るさを均斉化できる。
【００２８】
さらにまた、本発明の照明モジュールによれば、光拡散領域における光源の配列方向に沿った幅は、「隣接する２つの光源間の中心線上にある所定の点を頂点とし、隣接する２つの光源の対向する端部を結ぶ線分を底辺とする三角形」における光源の配列方向に沿った幅よりも広いことから、従来の照明モジュール９０１の場合よりも、光拡散領域が端面から離れる方向へ長くなることを抑えながら、光拡散領域の面積を大きくできる。従って、光拡散領域から出射する光のうち、光拡散板の凸条部よりも内側の第１光入射面に入射する光が、第２光出射面から輝点となって出射することを抑制することができる。また、第１光出射面において、光源の光出射方向の直近と、その周辺部分との明るさの差をより一層少なくすることができ、拡散板の周縁部を含めて第２光出射面全体の明るさをより一層均斉化できる。
【００２９】
本発明の大型照明装置は、複数の照明モジュールを備える大型照明装置であって、複数の照明モジュールの各々は、本発明の照明モジュールであり、複数の照明モジュールは、導光板の光源が配置されていない側の端面同士が密接するように配設されていることから、隣接する照明モジュール間の境目がより一層目立たない大型照明装置となる。
【図面の簡単な説明】
【００３０】
【図１】実施形態１に係る照明モジュール１を説明するために示す図である。
【図２】実施形態１に係る照明モジュール１を説明するために示す図である。
【図３】光拡散領域２５を説明するために示す図である。
【図４】光拡散領域２５の断面構造を説明するために示す図である。
【図５】光拡散領域２５の別の断面構造を説明するために示す図である。
【図６】試験例で用いる照明モジュール１，１ｘを説明するために示す図である。
【図７】試験例の結果を説明するために示す図である。
【図８】実施形態２に係る照明モジュール２を説明するために示す図である。
【図９】実施形態３に係る照明モジュール３を説明するために示す図である。
【図１０】実施形態４に係る照明モジュール４を説明するために示す図である。
【図１１】実施形態５に係る照明モジュール５を説明するために示す図である。
【図１２】実施形態６に係る照明モジュール６を説明するために示す図である。
【図１３】実施形態７に係る照明モジュール７を説明するために示す図である。
【図１４】実施形態８に係る照明モジュール８を説明するために示す図である。
【図１５】実施形態９に係る照明モジュール９を説明するために示す図である。
【図１６】実施形態１０に係る照明モジュール１０を説明するために示す図である。
【図１７】実施形態１１に係る大型照明装置１０００を説明するために示す図である。
【図１８】実施形態１２に係る大型照明装置１００１を説明するために示す図である。
【図１９】単一真球粒子による散乱光強度の角度分布（Α、Θ）を示すグラフである。
【図２０】従来の照明モジュール９０１を説明するために示す図である。
【図２１】従来の照明モジュール９０１を説明するために示す図である。
【図２２】従来の照明モジュール９０１が有する導光板２０の要部拡大平面図である。
【図２３】従来の照明モジュール９０１が有する別の導光板２０の要部拡大平面図である。
【発明を実施するための形態】
【００３１】
以下、本発明の照明モジュールおよび大型照明装置について、図面を参照しながら詳細に説明する。
【００３２】
［実施形態１］
図１および図２は、実施形態１に係る照明モジュール１を説明するために示す図である。図１（ａ）は照明モジュール１の平面図であり、図１（ｂ）は照明モジュール１の要部拡大図である。図２（ａ）は図１（ａ）におけるＡ１−Ａ１断面図であり、図２（ｂ）は図１（ａ）におけるＡ２−Ａ２断面図である。なお、拡散板５０は白色であるため、本来は拡散板５０よりも下に位置する導光板２０、ＬＥＤ光源３０、フレーム４０、凸条部５１の内側端面５４などは平面図においては視認できないが、図１（ａ）においては、導光板２０，ＬＥＤ光源３０、フレーム４０、凸条部５１の内側端面５４などを破線で図示する。図６、図８（ａ）、図９（ａ）、図１０（ａ）、図１１、図１３（ａ）、図１４（ａ）、図１５（ａ）、図１６（ａ）、図１７及び図１８についても同様である。また、図１（ｂ）においては、導光板２０についてのみ実線で図示し、ＬＥＤ光源３０、フレーム４０及び拡散板５０については破線で図示する。図３、図８（ｂ）、図９（ｂ）及び図１０（ｂ）についても同様である。
【００３３】
図３は、光拡散領域２５を説明するために示す図である。図３（ａ）は光拡散領域２５の形成領域を示す平面図であり、図３（ｂ）は光拡散領域２５の平面構造を示す平面図である。図４は、光拡散領域２５の断面構造を説明するために示す図である。図４（ａ）は光拡散領域２５の断面図であり、図４（ｂ）は図４（ａ）の一部拡大断面図である。図５は、光拡散領域２５の別の断面構造を説明するために示す図である。図５（ａ）は光拡散領域２５の別の断面図であり、図５（ｂ）は図５（ａ）の一部拡大断面図である。
【００３４】
実施形態１に係る照明モジュール１は、図１に示すように、左辺側の第１光源部１１と右辺側の第２光源部１２とを備える。なお、第１光源部１１と第２光源部１２とは、互いに対向するように配置されているが両者共に共通の構成を有するため、各実施形態においては両者を代表して左辺側の第１光源部１１を用いて説明することとする。
【００３５】
実施形態１に係る照明モジュール１は、上方向から見た外形が四角形であり、上下方向に偏平なパネル型をなしている。照明モジュール１は、図１及び図２に示すように、導光板２０と、導光板２０の左辺側の端面２１に沿って配列された複数のＬＥＤ光源３０と、ＬＥＤ光源３０を支持しつつ、ＬＥＤ光源３０が出射した光が直接拡散板５０に入射されないように遮蔽する取付部としてのフレーム４０と、導光板２０の表面側に重ねて配置される拡散板５０等を備える。第１光源部１１は、照明モジュール１において、端面２１と、ＬＥＤ光源３０と、フレーム４０と、拡散板５０の凸条部５１と、導光板２０の凸条部５１と対向する部分である周縁部２６とが配置される部分をいう。
【００３６】
なお、実施形態１においては、光源としてＬＥＤ光源３０を用いた場合を例示しているが、光源としては、ＣＣＦＬ（Cold Cathode Fluorescent Lamp：冷陰極蛍光管）、電球（たとえば白熱電球）や蛍光灯などを用いることが可能であって、特に光源の種類には限定されない。しかし、ＬＥＤ光源は、他の光源と比べ、消費電力が小さい、発熱量が小さい、小型化しやすい、低コストなどで優れている。したがって、以下に説明する各実施形態においては、光源としてＬＥＤ光源３０を用いた場合を例示して説明する。
【００３７】
実施形態１に係る照明モジュール１には、図２に示すように、導光板２０の裏面側（拡散板５０とは反対方向）に反射板６０が配置されている。さらに、反射板６０の裏面側にはＬＥＤ光源３０の駆動制御を行う回路７０が配置されている。なお、反射板６０は、反射シートであってもよく、省略してもよい。
【００３８】
導光板２０は、ＬＥＤ光源３０から出射される光が入射される左辺側の端面２１と右辺側の端面２２と、拡散板５０と対向する第１光出射面としての第１主面２３と、第１主面２３と対向する（つまり、裏面側の）面である第２主面２４とを備える。端面２１，２２は、ＬＥＤ光源３０から出射される光の入射面であり、第１主面２３は、導光板２０から拡散板５０に対して光を出射する光出射面である。第２主面２４は、反射板６０と密接され、第２主面２４は、導光板２０の内部を進行する光反射面として機能する。なお、導光板２０としては、後述する光散乱粒子を多数含有する光散乱導光体が用いられている。導光板２０に光散乱導光体を用いることで、導光板２０内に入射した光は導光板２０内で散乱され、第１主面２３から出射する光の照度分布の均斉化を図ることができる。
【００３９】
ＬＥＤ光源３０は、図１（ａ）に示すように、導光板２０の左辺側の端面２１に沿って複数個がほぼ一定の間隔を有して配置されており、右辺側の端面２２にも複数個がほぼ一定の間隔を有して配置されている。ＬＥＤ光源３０は、導光板２０の厚さ範囲に配置されるが、導光板２０の厚さ方向のほぼ中央に配置すればなおよい。中央に配置することで、中央に配置しない場合に比べて第１主面２３から出射する光の光量が多くなる。
【００４０】
なお、図１では、ＬＥＤ光源３０は、導光板２０の左辺側と右辺側とにそれぞれ９個ずつ備えられた場合を例示しているが、ＬＥＤ光源３０の数は、照明モジュール１の平面サイズ、要求される明るさになどによって適宜選択される。
【００４１】
実施形態１においては、ＬＥＤ光源３０を構成するＬＥＤ素子の一つ一つは、白色ＬＥＤ素子であって、制御回路７０からの入力信号によって、各ＬＥＤ素子からの発光を制御する。なお、ＬＥＤ素子として、赤色ＬＥＤ素子、緑色ＬＥＤ素子および青色ＬＥＤ素子がひとつにパッケージされたタイプのＬＥＤランプを用いることも可能で、制御回路７０からの入力信号によって、各色のＬＥＤ素子からの発光、混色により指定色の発光を行うことができる。なお、ＬＥＤ光源３０は、ＬＥＤ基板３５に実装されて、取付部材としてのフレーム４０の基部４１に支持されている。
【００４２】
フレーム４０は、図２に示すように、金属製の板を曲げ折りして成形されており、端面２１に沿う基部４１と、基部４１から導光板２０の第１主面２３側に延長された光遮蔽部４２と、反射板６０側に延長された光遮蔽部４３とを備える。フレーム４０は、光遮蔽部４２と光遮蔽部４３との間に導光板２０と反射板６０とを挟み込むことにより、照明モジュール１に取り付けられている。また、フレーム４０は、光遮蔽部４２と光遮蔽部４３とで、導光板２０と反射板６０とを挟み込むようにして、導光板２０と反射板６０とを密接させている。光遮蔽部４２では、ＬＥＤ光源３０から出射される光がそのまま拡散板５０に入射しないように、つまり、ＬＥＤ光源３０の光を、ＬＥＤ光源３０よりも図示上方向に配置される拡散板５０に直接入射させない光遮蔽機能を有する。光遮蔽部４３では、ＬＥＤ光源３０からの光を反射板６０の裏面側の外部に漏れさせない光遮蔽機能を有する。
【００４３】
反射板６０は、平面視において導光板２０とほぼ同じ形状を有する板部材であって、導光板２０の第２主面２４に密接され、導光板２０内を進行する光を反射面６１において反射する。なお、図２に示すように、反射板６０の左辺側の端面６２の位置は、導光板２０の端面２１の位置と一致させているが、ＬＥＤ光源３０の下方にまで延長させてもよい。なお、右辺側も同様である。
【００４４】
拡散板５０は、平面視において四角形であり、照明モジュール１の平面形状および平面サイズを規定している。つまり、拡散板５０は、導光板２０の外周端面２７（端面２１、端面２２および前後の端面２９ａ，２９ｂ）およびフレーム４０の外側面４４が配置される面と同一面内に配置されるか、外周端面２７および外側面４４よりも左右および前後に突出している。拡散板５０には、導光板２０の第１主面２３に向かって突設された凸条部５１が形成されている。凸条部５１は、拡散板５０の全周（四辺）にわたって形成されている。凸条部５１の導光板２０に対向する先端部平面は、第１光出射面である第１主面２３から出射された光が入射される第２光入射面としての光入射面５２である。周縁部２６は、凸条部５１の光入射面５２と対向する部分である。なお、実施形態１に係る照明モジュール１において、凸条部５１は、拡散板５０の全周（四辺）にわたって形成されているが、拡散板５０の周縁部のうち、ＬＥＤ光源３０が配置される側である左右の周縁部に形成されていてもよい。
【００４５】
拡散板５０は、図２に示すように、ＬＥＤ光源３０の配列方向に直交する平面における断面（Ａ１−Ａ１断面，Ａ２−Ａ２断面）において、左右の凸条部５１の間に凹部５０Ａが形成される。凹部５０Ａの底面（第１主面２３に対向する面）である第１光入射面５５としての凸条部内側底面は、第１主面２３から出射した光が入射する光入射面である。外周端面５３は、空気に接する面である。また、内側側面５４も凹部５０Ａに面し、空気に接する面である。したがって、凸条部５１の内側から外周端面５３に臨界角を超えて入射する光は、外周端面５３で全反射する。また、凸条部５１の内側から内側側面５４に臨界角を超えて入射する光は、内側側面５４で全反射する。外周端面５３と内側側面５４とは互いに平行な面であり、光入射面５２は、外周端面５３と内側側面５４とに直交する面である。拡散板５０としては、光散乱粒子が多数含有される光散乱導光体が用いられている。拡散板５０に光散乱導光体を用いることで、拡散板５０内に入射した光が拡散板５０内で散乱され、第２光出射面としての光出射面５６から出射する光の照度分布の均斉化を図ることができる。
【００４６】
凸条部５１の光入射面５２は、ＬＥＤ光源３０あるいは第１主面２３（特に周縁部２６）から出射する光が光遮蔽部４２により遮蔽される領域である遮蔽領域Ｂと、光遮蔽部４２により遮蔽されることなく入射する領域である入射領域Ｃとを有する。すなわち、凸条部５１の光入射面５２と、導光板２０のＬＥＤ光源３０が配置される側の周縁部２６との間に光遮蔽部４２を配置することにより、周縁部２６から出射した光が光入射面５２に入射する光量を制限することができる。遮蔽領域Ｂは、ＬＥＤ光源３０から出射された光を導光板２０を介さずに直接拡散板５０に入射させない広さ（左右方向の幅寸法）を少なくとも有する。また、実施形態１では、遮蔽領域Ｂの広さ（左右方向の幅寸法）と入射領域Ｃの広さ（左右方向の幅寸法）とは、第１主面２３から光入射面５２に入射する光が光出射面５６から出射する際に、光出射面５６の全体の明るさが均一となるように設定される。第１主面２３から光入射面５２に入射した光は主に、光出射面５６の周縁部から出射することになる。光出射面５６の周縁部の明るさが、該周縁部よりも内側の明るさに近づくように、遮蔽領域Ｂの広さおよび入射領域Ｃの広さが設定される。
【００４７】
拡散板５０は、凸条部５１の光入射面５２でフレーム４０の光遮蔽部４２と密接されている。照明モジュール１は、導光板２０および反射板６０を重ねた状態で、端部側（端面２１および端面６２）側をフレーム４０の光遮蔽部４２と光遮蔽部４３との間に挟み込み、光遮蔽部４３側から導光板２０に図示外の螺子を貫通させ、導光板２０と反射板６０とフレーム４０を固定することができる。なお、互いの接触面において光透過率の高い接着剤等で固定して一体化してもよい。拡散板５０は、光入射面５２の遮光領域Ｂにおいて、フレーム４０の光遮蔽部４２と接着剤により固定することができる。
【００４８】
続いて、実施形態１に係る照明モジュール１において、ＬＥＤ光源３０から出射された光が光出射面５６から出射するまでの光の経路について、図２を参照しながら説明する。なお、図２においては、図２（ａ）及び図２（ｂ）のうち、図２（ａ）のみに光線の軌跡を図示する。左辺側の第１光源部１１のＬＥＤ光源３０から出射された光の一部は、導光板２０の端面２１から導光板２０内に進入し、たとえば、破線Ｌ１で示すように、導光板２０の第１主面２３および第２主面２４で全反射されながら右辺側に向かって進み、また、光散乱粒子で散乱されながら進み、いずれは、第１主面２３から拡散状態で出射される。第１光源部１１のＬＥＤ光源３０から出射された光の他の一部には、第１主面２３または第２主面２４で全反射されることなく、光散乱粒子で散乱されながら進み、第１主面２３から拡散状態で出射するものもある。
【００４９】
右辺側の第２光源部１２のＬＥＤ光源３０から出射された光も左辺側と同様に導光板２０の右辺側の端面２２から導光板２０内に進入する。導光板２０内に入射された光は、導光板２０の第１主面２３および第２主面２４で全反射および光散乱粒子で散乱されることで、いずれは、第１主面２３から出射する。
【００５０】
第１光源部１１のＬＥＤ光源３０および第２光源部１２のＬＥＤ光源３０から出射し導光板２０に入射し第１主面２３から拡散状態で出射される光は、導光板２０内において、第１主面２３および第２主面２４で全反射および光散乱粒子で散乱されることで照度の均斉化が図れられた状態となっている。
【００５１】
導光板の第１主面２３から出射された光は、拡散板５０の凸条部５１の内側底面５５、および凸条部５１の光入射面５２に入射され、拡散板５０内を進行して光出射面から出射される。拡散板５０には光散乱粒子が含有されている。そのため、拡散板５０内に入射した光が拡散板５０内で散乱され、光出射面５６から出射する光の照度分布の均斉化を図ることができる。
【００５２】
ＬＥＤ光源３０から出射される光は、ＬＥＤ光源３０に近い位置では明るく、遠くなるにしたがい暗くなる。しかしながら、実施形態１に係る照明モジュール１では、左辺側の第１光源部１１と右辺側の第２光源部１２とを備えており、相互に右辺側、左辺側に向かって光が進行するので、左辺側からの光と右辺側からの光とが互いに補完しあうことで、導光板２０の第１主面２３の明るさが均斉化される。
【００５３】
導光板２０のＬＥＤ光源３０に近い周縁部２６には、図２に示すように、フレーム４０の光遮蔽部４２が配置されている。光遮蔽部４２により、ＬＥＤ光源３０および周縁部２６から凸条部５１へ入射する光が制限され、光入射面５２の一部は遮蔽領域Ｂとなっている。つまり、ＬＥＤ光源３０から出射され光入射面５２に向かう光の一部は遮蔽領域Ｂすなわち光遮蔽部４２より遮蔽される。一方、入射領域Ｃでは、第１主面２３から凸条部５１の光入射面５２に向けて出射された光の一部が入射される。凸条部５１の光入射面５２から入射された光の一部は、破線Ｌ２で示すように、凸条部５１の内側側面５４と外周端面５３とで全反射されながら、また、光散乱粒子で散乱されながら進み、拡散板５０の光出射面５６の主として凸条部５１の配置領域上方、すなわち光出射面５６のＬＥＤ光源３０が配置される側の周縁部から出射される。すなわち、凸条部５１内に入射された光の一部は、内側側面５４と外周端面５３とで全反射されながら、また、光散乱粒子で散乱されながら進むことで、光出射面５６から拡散状態で出射される。凸条部５１に入射した光は主として凸条部５１の配置位置上方から出射する。
【００５４】
実施形態１に係る照明モジュール１において、導光板２０の第１光出射面２３には、図１及び図２に示すように、複数のＬＥＤ光源３０のうち隣接する２つのＬＥＤ光源３０の間のそれぞれに位置し、ＬＥＤ光源３０の配列方向に沿った幅が端面２１から離れるに従って狭くなるような構造を有する複数の光拡散領域２５が形成されている。そして、図３（ａ）に示すように、光拡散領域２５におけるＬＥＤ光源３０の配列方向に沿った幅Ｌ２は、「隣接する２つのＬＥＤ光源３０間の中心線上にある所定の点Ｐを頂点とし、隣接する２つのＬＥＤ光源３０の対向する端部を結ぶ線分を底辺Ｂとする三角形Ｔ」におけるＬＥＤ光源の配列方向に沿った幅Ｌ１よりも広い。なお、光拡散領域２５とは、図３（ａ）及び図３（ｂ）に示すように、微細光散乱体２５のうち最外周の微細光散乱体を外接するように複数の線分で連結してできる領域である。上記三角形Ｔは二等辺三角形である。なかでも、底角が６０°である二等辺三角形、又は、所定の点Ｐの位置が凸条部５１の内側側面５４上に位置するような二等辺三角形であることが特に好ましい。
【００５５】
実施形態１に係る照明モジュール１においては、光拡散領域２５の平面形状は、釣り鐘形状である。光拡散領域２５には、多数の微細光散乱体２８が形成されている。微細光散乱体２８は、図４及び図５に示すように、レンズ状凸部（図４）又はレンズ状凹部（図５）からなる。そして、光拡散領域２５においては、図３（ｂ）に示すように、隣接する２つのＬＥＤ光源３０間の中心線から光源の配列方向に沿って離れるに従って密から粗となるように、かつ、ＬＥＤ光源３０が配置されている端面から当該端面に直交する方向に沿って離れるに従って密から粗となるように微細光散乱体２８が配置されている。ＬＥＤ光源３０から出射される光は、ＬＥＤ光源３０から光出射方向に沿って離れるに従って周囲との明るさの差が少なくなる。また、ＬＥＤ光源３０から端面２１に沿って離れるに従って光量が小さくなる。従って、上記のように構成することが、光の均斉化にとってより好ましいからである。
【００５６】
微細光散乱体２８は、第１主面２３の所定位置を粗面化処理するによって形成することができる。粗面化処理としては、表面に微細な凹凸構造を有する金型を樹脂製の導光板に押し付ける処理、樹脂製又はガラス製の導光板の表面の所定位置にレーザー光を照射する処理などを例示することができる。
【００５７】
実施形態１に係る照明モジュール１においては、光拡散領域２５は、第２光入射面５２と対向する領域からＬＥＤ光源３０の出射方向側に突出しない、すなわち、光拡散領域２５は、凸条部５１の内側側面５４からＬＥＤ光源３０の出射方向側に突出しない。複数のＬＥＤ光源３０のうち両端部に位置するＬＥＤ光源３０と端面２１に直交する別の端面２９ａ，２９ｂとの間においても、端面２１から離れるに従って狭くなるような構造を有する第２の光拡散領域２５ａ，２５ｂがそれぞれ形成されている。
【００５８】
以上説明したように、実施形態１に係る照明モジュール１によれば、拡散板５０は、導光板２０側に突出し、導光板２０の第１光出射面２３の周縁部のうち少なくとも光源３０が配列される端面２１側の周縁部に対向する位置に設けられ、周縁部から出射する光が入射する第２光入射面５２を有する凸条部５１を有することから、導光板２０の周縁部から出射し凸条部５１の光入射面５２に入射した光の一部は、凸条部５１の内側側面と外周端面とで全反射されながら、また、光散乱粒子で散乱されながら進行し、拡散板５０の第２光出射面５６の周縁部から出射する。これにより、拡散板５０の第２光出射面５６の周縁部が縁取りされたように暗くならなくなる。
【００５９】
また、実施形態１に係る照明モジュール１によれば、導光板２０の第１光出射面２３には、複数の光源３０のうち隣接する２つの光源３０の間のそれぞれに位置し、光源３０の配列方向に沿った幅Ｌ２が端面２１から離れるに従って狭くなるような構造を有する複数の光拡散領域２５が形成されていることから、光拡散領域２５において光が拡散されて当該光拡散領域２５が明るくなり、第１光出射面２３において、光源３０の光出射方向の直近と、その周辺部分との明るさの差を少なくすることができる。その結果、凸条部５１を設けることとの相乗効果で、拡散板５０の周縁部が縁取りされたように暗くならず、拡散板５０の周縁部を含めて第２光出射面５６全体の明るさを均斉化できる。
【００６０】
また、実施形態１に係る照明モジュール１によれば、光拡散領域２５における光源３０の配列方向に沿った幅Ｌ２は、「隣接する２つの光源３０間の中心線上にある所定の点Ｐを頂点とし、隣接する２つの光源３０の対向する端部を結ぶ線分を底辺Ｂとする三角形Ｔ」における光源３０の配列方向に沿った幅Ｌ１よりも広いことから、従来の照明モジュール９０１の場合よりも、光拡散領域が端面２１から離れる方向へ長くなることを抑えながら、光拡散領域の面積を大きくできる。従って、光拡散領域２５から出射する光のうち、光拡散領域２５の凸条部５１よりも内側（凹部５０Ａ側）の第１光入射面５５に入射する光が、第２光出射面５６から輝点となって出射することを抑制することができる。また、第１光出射面２３において、ＬＥＤ光源３０の光出射方向の直近と、その周辺部分との明るさの差をより一層少なくすることができ、拡散板５０の周縁部を含めて第２光出射面５６全体の明るさをより一層均斉化できる。
【００６１】
また、実施形態１に係る照明モジュール１によれば、光拡散領域２５は、第２光入射面５２と対向する領域からＬＥＤ光源３０の出射方向側（凸条部５１よりも凹部５０Ａ側）に突出しないという条件下のもとにおいても、上記光拡散領域２５の面積を大きくできる。
光拡散領域２５は、導光板２０内の光の全反射条件が破れ易く光が出射し易い部分である。一方、拡散板５０の凹部５０Ａは、拡散版５０の凸条部５１に比べて厚さが薄い。そのため、第２光入射面５２と対向する領域からＬＥＤ光源３０の出射方向側に光拡散領域２５が突出すると、この突出した部分から出射した光が、第２光出射面５６に輝点を発生させ易い。そこで、光拡散領域２５を第２光入射面５２と対向する領域よりもＬＥＤ光源３０の出射方向側に突出させないことで、光拡散領域２５から出射した光のうち、拡散版５０の凹部５０Ａの部分に直接入射してしまう光の光量を抑えることができる。従って、第１光出射面２３において、光源３０の光出射方向の直近と、その周辺部分との明るさの差をより一層少なくすることができ、拡散板５０の周縁部を含めて第２光出射面５６全体の明るさをより一層均斉化できる。
【００６２】
また、実施形態１に係る照明モジュール１には、フレーム４０の光遮蔽部４２により遮蔽領域Ｂが形成されている。これにより、ＬＥＤ光源３０の出射光が、拡散板５０に直接入射することを防止されている。また、導光板２０に入射された光の一部は、導光板２０の第１主面２３と第２主面２４とで全反射されながら、また、光散乱粒子で散乱されながら、第１主面２３から拡散光として出射され、拡散板５０に入射される。そして、第１主面２３から出射した光は、拡散板５０を透過し、この拡散板５０でさらに拡散された状態で光出射面５６から出射される。さらに、実施形態１に係る照明モジュール１においては、拡散板５０のＬＥＤ光源３０の配置位置側の周縁部に凸条部５１が形成されている。凸条部５１が設けられることで、空気に接する外周端面５３および内周側面５４が形成される。そのため、導光板２０の周縁部２６から出射し凸条部５１の光入射面５２に入射した光の一部は、凸条部５１の内側側面５４と外周端面５３とで全反射されながら、また、光散乱粒子で散乱されながら進み、拡散板５０の光出射面５６の周縁部から拡散光を出射させられる。
【００６３】
つまり、光遮蔽部４２で遮蔽領域Ｂを形成することで、ＬＥＤ光源３０の出射光を拡散板５０に直接入射させることなく導光板２０に入射させることができる。導光板２０に入射した光の一部は、導光板２０の第１主面２３と第２主面２４とで全反射されながら、また、光散乱粒子で拡散されながら、第１主面２３から拡散光として出射し、拡散板５０に入射される。これにより、光を出射している光出射面５６を見たときに、ＬＥＤ光源３０
の部分が点光源のように見えることを防止できる。
【００６４】
また、拡散板５０のＬＥＤ光源３０の配置位置の周縁部に凸条部５１を形成し、凸条部５１の光入射面５２から、導光板２０の周縁部２６から出射した光を凸条部５１内に導光させ、凸条部５１の内側側面５４と外周端面５３とで全反射させながら、また、光散乱粒子で散乱されることで、拡散板５０の光出射面５６の周縁部から拡散光を出射させている。これにより、光遮蔽部４２を備える構成とした場合にも、光出射面５６の光遮蔽部４２が備えられる側の周縁部に、光遮蔽部４２により遮光され縁取りされたような暗部が生じることを防止できる。
【００６５】
したがって、ＬＥＤ光源３０が点光源に見えることにより見栄えが悪くなることを排除しながら、光出射面の周縁部が縁取りされたように暗くならずに、周縁部を含めて光出射面５６の全体の明るさを均斉化する照明モジュールを提供できる。
【００６６】
なお、凸条部５１の光の入射領域Ｃの大きさは、凸条部５１の幅寸法を大きくする、または小さくすることで調整可能であり、そのことによって、導光板２０から出射された光の凸条部５１への入射量を調整すれば、拡散板５０の光出射面における中央部と周縁部の明るさの均斉化を容易にはかることができる。
【００６７】
つまり、入射領域Ｃ幅（左右方向の寸法）を調整することにより、第１主面２３から凸条部５１に入射する光量を調整でき、これにより、拡散板５０の光出射面５６の周縁部から出射する光量を調整できる。たとえば、入射領域Ｃ幅（左右方向の寸法）を調整することで、拡散板５０の光出射面５６の周縁部とその内側から出射する光量の差が少なくすることができ、光出射面５６の全体の照度の均斉化を図ることができる。なお、入射領域Ｃ幅（左右方向の寸法）の調整は、光遮光部４２の幅を調整することで行うことができる。
【００６８】
実施形態１に係る照明モジュール１において、遮光領域Ｂは、フレーム４０に設けられた光遮蔽部４２により形成されている。フレーム４０に光遮蔽部４２を設けることで、テープや塗料の省略といった部材の削減や貼着あるいは塗付工程の省略を行うことができる。なお、遮蔽領域Ｂは、たとえば、光入射面５２に遮光性を有するテープを貼着したり、あるいは、遮光性を有する塗料の塗布を施すことで形成してもよい。
【００６９】
実施形態１に係る照明モジュール１によれば、光拡散領域２５が、隣接する２つの光源３０間の中心線から光源３０の配列方向に沿って離れるに従って密から粗となるように、かつ、光源３０が配置されている端面２１から当該端面２１に直交する方向に沿って離れるに従って密から粗となるように微細光散乱体２８が配置されていることから、光源からの光が浅い角度で入射し入射光量が小さい領域については、微細光散乱体２８による光散乱の程度を高くするとともに、光源からの光が深い角度で入射し入射光量が大きい領域については、微細光散乱体２８による光散乱の程度を低くすることができる。また、端面２１に近接した領域において明るさの差が大きい領域については、微細光散乱体２８による光散乱の程度を高くするとともに、端面から遠ざかって明るさの差が少なくなる領域については、微細光散乱体２８による光散乱の程度を低くすることができる。その結果、第１光出射面において、光源の光出射方向の直近と、その周辺部分との明るさの差をより一層少なくすることができ、拡散板の周縁部を含めて第２光出射面全体の明るさをより一層均斉化できる。
【００７０】
また、実施形態１に係る照明モジュール１によれば、光拡散領域２５が第２光入射面５２と対向する領域よりも光源３０の出射方向側に突出しないことから、凸条部５０の凹部５０Ａにおいては、微細光散乱体２５による輝点が生成され難い。また、光拡散領域２５で散乱される光はほぼすべて凸条部５１に入射されるようになることから、凸条部５１の内側側面５４や外側側面５３で全反射されてから光出射面５６から出射するようになり、さらには、拡散板５０の中央部よりも厚い凸条部５１でより散乱された状態で光出射面５６から出射するようになるため、凸条部に対応する部分で第２光射出面５６の輝度が高くなることがなくなる。その結果、実施形態１に係る照明モジュール１によれば、第２光射出面５６の輝度の均斉化を図ることができる。
【００７１】
また、実施形態１に係る照明モジュール１においては、複数の光源３０のうち両端部に位置する各光源３０と端面２１に直交する別の端面２９ａ，２９ｂとの間においても、端面２１から離れるに従って狭くなるような構造を有する第２の光拡散領域２５ａ，２５ｂがそれぞれ形成されている。その結果、実施形態１に係る照明モジュール１によれば、ＬＥＤ光源３０間の暗くなる位置や、ＬＥＤ光源３０が配置されない端部位置における明るさの落ち込みを低減し、導光板２０の光射出面である第１主面２３の明るさを均斉化することができる。
【００７２】
また、実施形態１に係る照明モジュール１によれば、導光板２０の第１主面２３の中央部（光拡散領域２５が形成されていない広い面積領域）にも別の微細光散乱体２８ａを点在させている。このように、微細光散乱体２８ａを点在させることによって、輝度むらの発生を抑えることができる。
【００７３】
［試験例］
本試験例は、本発明の照明モジュールが従来の照明モジュールよりも、光出射面全体の明るさをより一層均斉化できる照明モジュールであることを確認するための試験例である。試験は、基本的には実施形態に係る照明モジュール１と同様の構成の照明モジュール（実施例に係る照明モジュール１ａ）と、基本的には従来の照明モジュール９０１と同様の構成の照明モジュール（比較例に係る照明モジュール１ｘ）について、第２光出射面５６の輝度をシミュレーションすることによって行った。シミュレーションは、サイバネットシステム株式会社の照明設計解析ソフトウェア「ライトツールズ（Light Tools）」を用いて行った。
【００７４】
図６は、試験例で用いる照明モジュール１ａ，１ｘを説明するために示す図である。図６（ａ）は実施例に係る照明モジュール１ａの平面図であり、図６（ｂ）は比較例に係る照明モジュール１ｘの平面図である。図７は、試験例の結果を説明するために示す図である。図７（ａ１）は照明モジュール１ａの光出射面における輝度分布を等輝度線を用いて示す図であり、図７（ａ２）は図７（ａ１）の位置Ｘ＝７０ｍｍの位置で縦方向（奥行き方向）に沿った輝度分布を示すグラフであり、図７（ａ３）は図７（ａ１）の位置Ｙ＝０ｍｍの位置で横方向（左右方向）に沿った輝度分布を示すグラフであり、図７（ａ４）は輝度と画面上の濃淡との関係を示す図である。また、図７（ｂ１）は照明モジュール１ｘの光出射面における輝度分布を等輝度線を用いて示す図であり、図７（ｂ２）は図７（ｂ１）の位置Ｘ＝７０ｍｍの位置で縦方向（奥行き方向）に沿った輝度分布を示すグラフであり、図７（ｂ３）は図７（ｂ１）の位置Ｙ＝０ｍｍの位置で横方向（左右方向）に沿った輝度分布を示すグラフであり、図７（ｂ３）は輝度と画面上の濃淡との関係を示す図である。なお、図７（ａ１）及び図７（ｂ１）においては、端部２１，２２の近傍における輝度変化についての視認性を高めるため、これらの図面の間で輝度と画面の濃淡の関係を変えている。すなわち、等輝度線の間隔を変えている（図７（ａ４）及び図７（ｂ４）参照。）。
【００７５】
試験例におけるシミュレーションは、拡散板５０の第２光出射面５６の輝度を、第２光出射面５６と直交する方向から所定の開口数の輝度測定装置で測定したものとして算出することにより行った。輝度測定装置の開口数は０．２６とした。
【００７６】
試験例の結果、図７からも明らかなように、実施形態１に係る照明モジュール１ａは、比較例に係る照明モジュール１ｘよりも、光出射面全体の明るさをより一層均斉化できる照明モジュールであることが確認できた。すなわち、図７（ａ１）及び図７（ａ２）と、図７（ｂ１）及び図７（ｂ２）とを比較することにより、実施例に係る照明モジュール１ａのほうが比較例に係る照明モジュール１ｘよりも、端部２１，２２近傍において、輝度が均一であることが分かった。比較例に係る照明モジュール１ｘにおいては、端部２１，２２近傍においてＬＥＤ光源３０の直上で輝度が高く、ＬＥＤ光源３０とＬＥＤ光源３０との間で輝度が低くなっている。また、図７（ａ１）及び図７（ａ３）と、図７（ｂ１）及び図７（ｂ３）とを比較することにより、実施例に係る照明モジュール１ａのほうが比較例に係る照明モジュール１ｘよりも、端部２１，２２近傍における輝度が全体的に高いことも分かった。比較例に係る照明モジュール１ｘにおいては、端部２１，２２近傍において輝度が低くなっている。
【００７７】
［実施形態２］
図８は、実施形態２に係る照明モジュール２を説明するために示す図である。図８（ａ）は照明モジュール２の平面図であり、図８（ｂ）は照明モジュール２における光拡散領域２５を示す要部拡大図である。
【００７８】
実施形態２に係る照明モジュール２は、基本的には実施形態１に係る照明モジュール１と同様の構成を有するが、光拡散領域２５が、凸条部５１の第２光入射面５２と対向する領域からＬＥＤ光源３０の出射方向側に突出する点で実施形態１に係る照明モジュール１の場合と異なる。すなわち、実施形態２に係る照明モジュール２においては、図８に示すように、光拡散領域２５が、凸条部５１の内側側面５４からＬＥＤ光源３０の出射方向側に突出する。
【００７９】
ところで、光拡散領域２５が、凸条部５１の第２光入射面５２と対向する領域からＬＥＤ３０の出射方向側に突出することで、突出した部分から出射した光は、第２光入射面５６の凸条部５１よりも内側の部分（凹部５０Ａ）に入射する。光拡散領域２５のうち、第２光入射面５２と対向する領域よりもＬＥＤ３０の出射方向側に突出した部分から出射した光が、第２光入射面５６の凸条部５１よりも内側の部分に入射すると、第２光出射面５６に輝点を発生させ易い。しかしながら、突出した部分の微細光散乱体２８の配置の密度を低くすることで輝点の発生を抑えながら、第２光入射面５６の中央側に入射する光の光量を増やすことができる。一方、光拡散領域２５のうち、第２光入射面５２と対向する領域の面積を大きくすることで、凸条部５１に入射される光の光量を多くすることができる。対向する領域から出射した光は、拡散板５０の中央部よりも厚い凸条部５１の内側側面５４や外側側面５３で全反射され、十分に拡散された状態で光出射面５６から出射する。そのため、光拡散領域２５のうち、第２光入射面５２と対向する領域の面積を大きくしても輝点になり難い。従って、上記のような構成とすることにより、拡散板５０の周縁部を含めて第２光出射面５６全体の明るさをより一層均斉化できる。
【００８０】
なお、実施形態２に係る照明モジュール２は、光拡散領域２５が、凸条部５１の第２光入射面５２と対向する領域からＬＥＤ光源３０の出射方向側に突出する点以外の点においては実施形態１に係る照明モジュール１と同様の構成を有するため、実施形態１に係る照明モジュール１が有する効果のうち該当する効果を有する。
【００８１】
［実施形態３］
図９は、実施形態３に係る照明モジュール３を説明するために示す図である。図９（ａ）は照明モジュール３の平面図であり、図９（ｂ）は照明モジュール３における光拡散領域２５を示す要部拡大図である。
【００８２】
実施形態３に係る照明モジュール３は、基本的には実施形態１に係る照明モジュール１と同様の構成を有するが、微細光散乱体２８の構成が実施形態１に係る照明モジュール１の場合と異なる。すなわち、実施形態３に係る照明モジュール２においては、図９に示すように、微細光散乱体２８が連続した微細光散乱体（Λ字状筋もしくはＶ字状溝からなる微細光散乱体）からなる。
【００８３】
このように、実施形態３に係る照明モジュール２は、微細光散乱体２８の構成が実施形態１に係る照明モジュール１の場合と異なるが、それ以外の点においては実施形態１に係る照明モジュール１と同様の構成を有するため、実施形態１に係る照明モジュール１が有する効果のうち該当する効果を有する。
【００８４】
また、実施形態３に係る照明モジュール３によれば、微細光散乱体２８がΛ字状筋またはＶ字状溝からなるため、プリズム効果を有するようになる。Λ字状筋またはＶ字状溝からなる微細光散乱体２８は、光拡散領域２５の範囲内において、最も密度の高い位置（釣り鐘の底辺部）から放射状に広がるように配置される。
【００８５】
［実施形態４］
図１０は、実施形態４に係る照明モジュール４を説明するために示す図である。図１０（ａ）は照明モジュール４の平面図であり、図１０（ｂ）は照明モジュール４における光拡散領域２５を示す要部拡大図である。
【００８６】
実施形態４に係る照明モジュール４は、基本的には実施形態１に係る照明モジュール１と同様の構成を有するが、光拡散領域２５の構成が実施形態１に係る照明モジュール１の場合と異なる。すなわち、実施形態４に係る照明モジュール４においては、図１０に示すように、光拡散領域２５が平面視台形形状を有する。
【００８７】
このように、実施形態４に係る照明モジュール４は、光拡散領域２５の構成が実施形態１に係る照明モジュール１の場合と異なるが、それ以外の点においては実施形態１に係る照明モジュール１と同様の構成を有するため、実施形態１に係る照明モジュール１が有する効果のうち該当する効果を有する。
【００８８】
なお、実施形態４に係る照明モジュール４においては、図１０に示すように、光拡散領域２５が、第２光入射面５２と対向する領域からＬＥＤ光源３０の出射方向側に突出しないものであったが、本発明はこれに限定されるものではない。光拡散領域２５が、第２光入射面５２と対向する領域から光源３０の出射方向側に突出するものであってもよい。このようにすることにより、光拡散領域の面積をより一層大きくできる。従って、第１光出射面において、光源の光出射方向の直近と、その周辺部分との明るさの差をより一層少なくすることができ、拡散板の周縁部を含めて第２光出射面全体の明るさをより一層均斉化できる。この場合、光拡散領域２５が、第２光入射面５２と対向する領域から光源３０の出射方向側に突出する部分においては、微細光散乱体の形成密度を低くして、突出部分における光拡散領域からの散乱光量を減じることにより、突出部分に対応する部分で第２光射出面５６の輝度が高くなることが抑制され、これに起因して第２光射出面５６の輝度が不均一になることが抑制される。
【００８９】
［実施形態５］
図１１は、実施形態５に係る照明モジュール５を説明するために示す図である。
【００９０】
実施形態５に係る照明モジュール５は、基本的には実施形態１に係る照明モジュール１と同様の構成を有するが、導光板２０の構成が実施形態１に係る照明モジュール１の場合と異なる。すなわち、実施形態５に係る照明モジュール５は、図１１に示すように、光拡散領域２５の形状が台形であり、光拡散領域２５が４つの端面すべてに形成された導光板を有する。
【００９１】
このように、実施形態５に係る照明モジュール５は、導光板２０の構成が実施形態１に係る照明モジュール１の場合と異なるが、それ以外の点においては実施形態１に係る照明モジュール１と同様の構成を有するため、実施形態１に係る照明モジュール１が有する効果のうち該当する効果を有する。
【００９２】
［実施形態６］
図１２は、実施形態６に係る照明モジュール６を説明するために示す図である。
【００９３】
実施形態６に係る照明モジュール６は、基本的には実施形態１に係る照明モジュール１と同様の構成を有するが、導光板２０の両面（上面及び下面）に拡散板５０が配設された点で実施形態１に係る照明モジュール１の場合と異なる。すなわち、実施形態６に係る照明モジュール６は、図１２に示すように、導光板２０の両面（上面及び下面）に拡散板５０が配設されている。
【００９４】
このように、実施形態６に係る照明モジュール６は、導光板２０の両面（上面及び下面）に拡散板５０が配設された点で実施形態１に係る照明モジュール１の場合と異なるが、それ以外の点においては実施形態１に係る照明モジュール１と同様の構成を有するため、実施形態１に係る照明モジュール１が有する効果を有する。
【００９５】
また、実施形態６に係る照明モジュール６は、照明モジュールの両面（裏表面）から光が出射されるため、照明モジュールの表側のみならず裏側をも照明したというニーズに応えた照明モジュールとなる。
【００９６】
実施形態６に係る照明モジュール６は、導光板２０と、導光板２０の左辺側の端面２１に沿うように配列された複数のＬＥＤ光源３０と、ＬＥＤ光源３０を支持しつつ、導光板２０の左辺側の周縁部２６の光を遮蔽するフレーム４０と、導光板２０の第１主面２３側に配置される拡散板５０と、第２主面２４側に配置される拡散板５０等を備える。なお、上側の拡散板５０と下側の拡散板５０とは、共通仕様とすることができる。
【００９７】
導光板２０は、実施形態１に係る照明モジュール１の場合と同様に、ＬＥＤ光源３０から出射される光を入射する左辺側の端面２１と右辺側の端面２２（図１参照）と、拡散板５０と対向する第１主面２３と、第１主面２３と対向する第２主面２４と、を備える。ＬＥＤ光源３０も第１の実施の形態（図１参照）と同様に、導光板２０の左辺側の端面２１に沿うように複数個がほぼ一定の間隔を有して配列されており、右辺側の端面２２にも複数個のＬＥＤ光源３０がほぼ一定の間隔を有して配列されている。ＬＥＤ光源３０は、導光板２０の厚さ方向のほぼ中央に配置される。
【００９８】
フレーム４０は、左辺側の端面２１に沿う基部４１と、基部４１から導光板２０の第１主面２３に延長された光遮蔽部４２と、第２主面２４に延長された光遮蔽部４３とを備える。なお、右辺側についても同じ構成のため説明を省略する。光遮蔽部４２では、ＬＥＤ光源３０から出射される光がそのまま上側の拡散板５０に入射されないように、また、光遮蔽部４３では、ＬＥＤ光源３０から出射される光がそのまま下側の拡散板５０に入射されないように遮蔽している。
【００９９】
上側の拡散板５０のＬＥＤ光源３０が配置される周縁部には、導光板２０の第１主面２３に向かって突設された凸条部５１が形成され、下側の拡散板５０のＬＥＤ光源３０が配置される周縁部には、導光板２０の第２主面に向かって突設された凸条部５１が形成されている。凸条部５１，５１それぞれの先端面は、導光板２０から出射された光が入射される光入射面５２，５２である。上側の拡散板５０の導光板２０とは反対側の表面である第２主面２４は、第１光出射面として機能し、下側の拡散板５０の導光板２０とは反対側の表面は、第２光出射面として機能する。そして、導光板２０の両面（第１光出射面及び第２光出射面）において、光拡散領域２５が形成されている。
【０１００】
以上説明した実施形態６に係る照明モジュール６は、表裏両面から発光可能となり、しかも、裏表の光出射面５６，５６共に、各実施形態の構成を踏襲できることから、拡散板５０の周縁部が縁取りされたように暗くなることをなくし、周縁部を含めて均斉化された明るさを実現できる。
【０１０１】
［実施形態７］
なお、実施形態１に係る照明モジュール１において、フレーム４０の光遮蔽部４２の形状を工夫することによって、光射出面５６の明るさをさらに均斉化させることができる。図１３は、実施形態７に係る照明モジュール７を説明するために示す図である。図１３（ａ）は照明モジュール７の左辺側の構造を示す平面図であり、図１３（ｂ）はその要部拡大図である。導光板２０および拡散板５０などの構成は、上記した各実施形態と同じなので説明は省略し、共通部分には、同じ符号を付している。
【０１０２】
図１３に示すように、フレーム４０の光遮蔽部４２は、複数のＬＥＤ光源３０の配列方向に沿って交互に配置される凸部４２ａおよび凹部４２ｂを備える。凸部４２ａは、ＬＥＤ光源３０の拡散板５０側の上部を覆い、凸部４２ａの形成範囲において、ＬＥＤ光源３０から出射される光を、拡散板５０の凸条部５１に直接入射しないように遮蔽している。凹部４２ｂは、隣り合うＬＥＤ光源３０の間を開口しており、ＬＥＤ光源３０から出射される光は、凸部４２ａを廻りこみながら拡散板５０の凸条部５１に入射される。
【０１０３】
実施形態７に係る照明モジュール１においては、導光板２０の端面２１近傍が光遮蔽部４２で覆われないことから、この部分においても微細光散乱体２５を形成して、この部分における散乱光の光量を増大させている。実施形態７に係る照明モジュール７においては、端面側ぎりぎりぎりまで光拡散領域２５が形成されており、実施形態１に係る照明モジュール１においてよりも光拡散領域２５の大きさが大きい。
【０１０４】
上記したように、実施形態７においては、フレーム４０の光遮蔽部４２に、ＬＥＤ光源３０から出射される光を遮蔽する凸部４２ａと、開口する凹部４２ｂを設けている。このことによって、光遮蔽部４２に凸部４２ａおよび凹部４２ｂがないフレーム４０を有する実施形態（実施形態１）に比べ、ＬＥＤ光源３０間において、ＬＥＤ光源３０に近い位置と、離れた位置における凸条部５１に入射する光の明るさの差を小さくすることができる。その結果、光出射面５６全面の明るさをより均斉化可能な照明モジュールを提供できる。
【０１０５】
凸部４２ａの形状は、図示したように長方形でなくても、先端が細くなる台形や、三角形、先端部を円形にしてもよく、凹部４２ｂと共に、凸条部５１に入射する光の明るさの差を小さくできる縦横寸法や形状を設定すればよい。また、凸部４２ａおよび凹部４２ｂを備えるフレーム４０は、以下に説明する各実施の形態に用いることが可能である。
【０１０６】
なお、実施形態７に係る照明モジュール７は、光遮蔽部４２の構成が実施形態１に係る照明モジュール１の場合と異なるが、それ以外の点においては実施形態１に係る照明モジュール１と同様の構成を有するため、実施形態１に係る照明モジュール１が有する効果のうち該当する効果を有する。
【０１０７】
［実施形態８］
実施形態８に係る照明モジュール８について、図１４を参照しながら説明する。図１４は、実施形態８に係る照明モジュール８を説明するために示す図である。図１４（ａ）は照明モジュール８の左辺側の構造を示す平面図であり、図１４（ｂ）はその要部拡大図である。
実施形態８に係る照明モジュール８は、基本的には、実施形態１に係る照明モジュール１と同様の構成を有するが、フレーム４０の構成が実施形態１に係る照明モジュール１の場合と異なる。すなわち、実施形態８に係る照明モジュール８においては、図１４に示すように、光遮蔽部４２を有しないフレーム４０が配設されている。
【０１０８】
このように、実施形態８に係る照明モジュール８は、フレーム４０の構成が実施形態１に係る照明モジュール１の場合と異なるが、それ以外の点においては実施形態１に係る照明モジュール１と同様の構成を有するため、実施形態１に係る照明モジュール１が有する効果のうち該当する効果を有する。
【０１０９】
［実施形態９］
実施形態９に係る照明モジュール９について、図１５を参照しながら説明する。図１５は、実施形態９に係る照明モジュール９を説明するために示す図である。図１５（ａ）は照明モジュール９の左辺側の構造を示す平面図であり、図１５（ｂ）はその要部拡大図である。
実施形態９に係る照明モジュール９は、基本的には、実施形態１に係る照明モジュール１と同様の構成を有するが、拡散板５０の構成が実施形態１に係る照明モジュール１の場合と異なる。すなわち、実施形態９に係る照明モジュール９においては、図１５に示すように、凸条部５１の光の入射領域Ｃに接続する内側側面５４には、複数のＬＥＤ光源３０の配列方向に沿うように波型の凹凸５７が形成されている。なお、図１５では、波型の凹凸５７を誇張して表している。また、波型の凹凸５７のピッチとＬＥＤ光源３０の配列ピッチ、および凹凸５７の深さ（または高さ）は、任意に設定できる。
【０１１０】
次に、実施形態９に係る照明モジュール９における凸条部５１内の光の進行について図１５（及び図２）を参照しながら説明する。ＬＥＤ光源３０から射出された光は、導光板２０の端面２１から導光板２０内に進入する。導光板２０内に入射された光の一部は、入射領域Ｃにおいて凸条部５１の光入射面５２に入射する。凸条部５１の光入射面５２から入射した光の一部は、凸条部５１の内側側面５４、外周端面５３を全反射されながら、また、光散乱粒子で拡散されながら進み、拡散板５０の光出射面の主として凸条部５１の配置位置上方から出射する。
【０１１１】
凸条部５１の内側側面５４には、波形の凹凸５７が形成されていることから、光は、図示矢印で示すように波形の凹凸５７面で拡散されて凸条部５１内に反射され易い。このようにすれば、拡散板５０の周縁部を明るくして、拡散板５０の周縁部が縁取りされたように暗くならないようにできる。このことによって、拡散板５０の光出射面全体の明るさをより一層均斉化できる。
【０１１２】
［実施形態１０］
次に、実施形態１０に係る照明モジュール１０について、図１６を参照しながら説明する。図１６は、実施形態１０に係る照明モジュール１０を説明するために示す図である。図１６（ａ）は照明モジュール１０の左辺側の構造を示す平面図であり、図１６（ｂ）はその要部拡大図である。図１６（ｃ）は照明モジュール１０を導光板２０の端面２１側から見た凹部側面図である。
実施形態１０に係る照明モジュール１０は、基本的には、実施形態１に係る照明モジュール１と同様の構成を有するが、拡散板５０の構成が実施形態１に係る照明モジュール１の場合と異なる。すなわち、実施形態１０に係る照明モジュール１０においては、図１６に示すように、拡散板５０には、凸条部５１の第２光入射面５２に、凸条部５１を横断する（外周端面５３から内側側面５４に至る）Ｖ字状溝５８が形成されている。Ｖ字状溝５８は、光のプリズム効果を有するものであって、図１６（ｃ）に示すように、ＬＥＤ光源３０から出射された光は、凸条部５１の光入射面５２の入射領域Ｃから入射され、入射された光の一部は、図示矢印のように、Ｖ字状溝５８のプリズム効果（屈折効果）により拡散されて凸条部５１内に入射し、凸条部５１の外周端面５３と内側側面５４との間で全反射されながら、また、光散乱粒子で散乱されながら進み、拡散板５０の光出射面５６の主として凸条部５１の配置位置上方から出射する。
【０１１３】
したがって、導光板２０から出射された光は、光入射面５２で拡散され凸条部５１内に入射される。このことによって、凸条部５１が配置される光出射面の周縁部を明るくして、周縁部が縁取りされたように暗くなることがなくなり、光出射面全体の明るさを均斉化できる。
【０１１４】
なお、図１６では、Ｖ字状溝５８は誇張されて表している。このＶ字状溝５８は、光のプリズム効果があればよく、ＬＥＤ光源３０に対する相対位置、溝５８の深さ、ピッチは任意に設定することが可能である。したがって、Ｖ字形状の溝５８として、いわゆるプリズムシートを用いることも可能である。
【０１１５】
また、図１６において、Ｖ字形状の溝５８は、凸条部５１の外周端面５３から内側側面５４まで横断しているが、光の入射領域Ｃの範囲に形成しても同じ効果が得られる。また、凸条部５１を縦断するように（前辺後辺方向に）構成してもよい。
【０１１６】
なお、上記した各実施形態においては、照明モジュール単品について説明したが、本発明は、複数の照明モジュールを並列させて大型照明装置を構成することに有効である。そのことについて、図１７及び図１８を参照して説明する。
【０１１７】
［実施形態１１］
図１７は、実施形態１１に係る大型照明装置１０００を説明するために示す図である。実施形態１１に係る大型照明装置１０００は、図１７に示すように、実施形態１に係る照明モジュール１を２個並列して配置した大型照明装置である。そして、実施形態１１に係る大型照明装置１０００においては、照明モジュール１を互いの第１光源部１１において、拡散板５０の外周端面５３同士を密接させて構成している。
【０１１８】
単品の照明モジュール１は、前述したように、光出射面の周縁部が縁取りされたように暗くならず、周縁部を含めて明るさが均斉化されている。したがって、二つの照明モジュール１を並列させたときにも、つなぎ目部分が縁取りされたようにならずに、見栄えのよい大判の大型照明装置１０００を実現できる。
【０１１９】
照明モジュール１は、図２に示すように、拡散板５０の凸条部５１が設けられる側の外周の側面である外周端面５３と、フレーム４０の基部４１の外側面４４とは、同一面内に配置されている。つまり、第２光出射面５６の外周の縁部である外周端縁５９は、外側面４４と同一面内に配置されている。そのため、照明モジュール１を並列させたときに、並列される光出射面５６間の隙間を小さくできるため、光出射面５６を連続的に連ならせ、並列された光出射面５６間の隙間が目立たない大判の大型照明装置１０００を実現できる。
【０１２０】
なお、大型照明装置１０００としては、照明モジュール１の配列の仕方は限定されない。たとえば、照明モジュール１の配列数は３個以上でもよく、配列の方向も特に限定されない。たとえば、第１光源部１１と第２光源部１２とを密接させたり、第１光源部１１または第２光源部１２と他の辺とを密接させたりして配列してもよい。
【０１２１】
なお、単品の照明モジュール１を複数個並列する場合、拡散板５０の４辺の外周端縁５９の位置をフレーム４０の外側面４４および導光板２０の外周端面２７の位置に一致させるか、または突出させ、拡散板５０の外周端縁５９同士を密接させる。このようにすることで、隣り合う拡散板５０の隙間を排除し、個々の拡散板５０の周縁部が縁取りされたように暗くならずに、光出射面５６全体が均斉化された明るさを有する大型照明装置９を実現できる。
【０１２２】
［実施形態１２］
図１８は、実施形態１２に係る大型照明装置１００１を説明するために示す図である。図１８（ａ）は大型照明装置１００１の平面図であり、図１８（ｂ）は大型照明装置１００１の平面図であり、図１８（ｂ）は照明モジュール１単体の明るさ分布図であり、図１８（ｃ）は照明モジュール１を２個並列させたときの明るさの分布図である。なお、図１８（ｂ）及び図１８（ｃ）は、図１８（ａ）におけるＡ３−Ａ３方向を視認したときの図である。
【０１２３】
実施形態１２に係る大型照明装置１００１は、図１８（ａ）に示すように、実施形態１に係る照明モジュール１を４個並列して配置した大型照明装置である。そして、実施形態１２に係る大型照明装置１００１は、照明モジュール１を横方向に、右辺側の第２光源部１２の端面と左辺側の第１光源部１１の端面とを密接させ、縦方向に、導光板２０のＬＥＤ光源３０が配置されていない側の端面２９ａと端面２９ｂとを密接させ、照明モジュール１を縦横に２個ずつ４個並列させたものである。
【０１２４】
続いて、大型照明装置１００１における明るさの分布について説明する。図１８（ｂ）に示すように、照明モジュール１が単体の場合の明るさの分布は、拡散板５０のＬＥＤ光源３０が配置されていない側の端面２９ａと端面２９ｂに近い位置では、それぞれの端面から光が漏れてしまい、光射出面５６の照射に向かわない。このことから、光射射出面５６の端面２９ａ，２９ｂに近い位置では中央部の明るさに対して暗くなってしまう。なお、図中、端面２９ａ，２９ｂからの光の漏れを破線で模式的に示している。
【０１２５】
しかし、拡散板５０の端面２９ａと端面２９ｂとを密接させると、図１８（ｃ）に示すように左方の照明モジュール１の端面２９ａから漏れた光は、右方の照明モジュール１の端面２９ｂに入射される（図中において、反時計回りの矢印で表す）。また、右方の照明モジュール１の端面２９ｂから漏れた光は、左方の照明モジュール１の端面２９ａから入射されることになる（図中において、時計回りの矢印で表す）。
【０１２６】
このように、ＬＥＤ光源３０が配置されていない側の端面同士を密接させれば、照明モジュール１を並列させたときの接続部においても明るさが低下せずに、光射出面５６の明るさが均斉化された大型照明装置１００１を実現できる。
【０１２７】
実施形態１２に係る大型照明装置１００１の場合のように、ＬＥＤ光源３０が配置されていない端面同士を密接させるには、導光板２０の端面２９ａ，２９ｂの位置を、端面２９ａ、２９ｂと同位置の拡散板５０の外周端面５９の位置を一致させる。しかし、２つの拡散板５０の外周端面５９を密接させたときに、導光板２０の端面２９ａと端面２９ｂとの間に僅かな隙間があっても、上記効果を呈することができる。
【０１２８】
図１８（ａ）では、照明モジュールを４個並列させた例を示しているが、上述した構成にすれば、照明モジュールの数は限定されず、さらに大判の大型照明装置を提供できる。なお、本発明の大型照明装置においては、左辺側の第１光源部１１のＬＥＤ光源３０の配置位置が、右辺側の第２光源部１２のＬＥＤ光源３０の配置位置の間に位置するように構成されていてもよい。このようにすれば、第１光源部１１のＬＥＤ光源３０の間の明るさの低下を、第２光源部１２のＬＥＤ光源３０で補完することができる。なお、左辺側の第１光源部１１のＬＥＤ光源３０の配置と、右辺側の第２光源部１２のＬＥＤ光源３０の配置とを同じ位置に配置（つまり、第１光源部１１のＬＥＤ光源３０に向かい合うように第２光源部１２を配置）しても、隣接する導光板２０の接続部の明るさを低下させることがなく、導光板２０の光射出面である第１主面２３の中央部と同じ明るさにすることができる。
【０１２９】
また、実施形態６において示した表裏両面が発光可能な照明モジュール６を複数個並列させて、大判の表裏両面が発光可能な大型照明装置を実現することもできる。
【０１３０】
また、複数の照明モジュール１を並列させたとき、拡散板５０の厚さの範囲であれば、照明モジュール１毎に光出射面５６の高さを変えてもよい。
【０１３１】
実施形態１１に係る大型照明装置１０００及び実施形態１２に係る大型照明装置１００１は、実施形態１に係る照明モジュール１を複数個含むものであったが、本発明はこれに限定されるものではない。実施形態２〜実施形態１０のいずれかに係る照明モジュールを複数個含むものであってもよい。
【０１３２】
上記した各実施形態においては、拡散板５０は、平面視において四角形の例を示したが、三角形、五角形等の多角形とすることもできる。
【０１３３】
上述の各実施形態においては、周縁部２６と第２光入射面５２との間に、周縁部２６から出射した光が第２光入射面５２に入射する光量を制限する光遮蔽部４２が備えられているが、光遮蔽部４２を備えない構成としてもよい。光遮蔽部４２を備えない構成とした場合であっても、拡散板５０に凸条部５１を設けることで、周縁部２６から出射した光が光入射面５２に入射し光出射面５６の周縁部から出射させることができる。そのため、光出射面５６の全面から光を出射させることができる。しかしながら、光入射面５２に入射する光量の調整が必要な場合には、光遮蔽部４２を備えることで周縁部２６（第１主面２３）から出射し光入射面５２に入射する光量を調整できる。つまり、拡散板５０の光出射面５６の周縁部２６から出射する光量を調整できる。
【０１３４】
また、導光板２０および拡散板５０については、光散乱粒子が含有されていることで、導光板２０および拡散板５０の内部を進行する光を散乱させる構成としているが、導光板２０の光出射面である第１主面２３や拡散板５０の光出射面５６を微細な凹凸形状を形成することによって光を散乱させるための処理である粗面化処理や、凸レンズ形状、凹レンズ形状、円錐形状の凹凸やＶ字形状の溝を形成してもよい。このような微細な凹凸形状を形成することによって、光散乱粒子を含まない透明な導光板２０および拡散板５０であっても、第１主面２３や光射出面５６において光を散乱させることができる。
【０１３５】
上述した光散乱粒子は、たとえば、以下に説明するシリコーン粒子により形成することができる。導光板２０および拡散板５０（以下、導光板２０等と記載する。）は、体積的に一様な散乱能が与えられた導光体であり、光散乱粒子としての球形粒子を多数含んでいる。導光板２０等の内部に光が入射すると、その光はシリコーン粒子（光散乱粒子）によって散乱することになる。
【０１３６】
ここで、光散乱粒子（シリコーン粒子）の理論的な基礎を与えるＭｉｅ散乱理論について説明する。Ｍｉｅ散乱理論は、一様な屈折率を有する媒体（マトリックス）中に該媒体と異なる屈折率を有する球形粒子（光散乱粒子）が存在するケースについてマックスウェルの電磁方程式の解を求めたものである。光散乱粒子に相当する光散乱粒子によって散乱した散乱光の角度に依存した強度分布Ｉ（Α、Θ）は下記（１）式で表される。Αは、光散乱粒子の光学的大きさを示すサイズパラメータであり、マトリックス中での光の波長λで規格化された球形粒子（光散乱粒子）の半径ｒに相当する量である。角度Θは散乱角で、入射光の進行方向と同一方向をΘ＝０°にとる。
【０１３７】
また、（１）式中のｉ１、ｉ２は（４）式で表される。そして、（２）〜（４）式中の下添字ν付のａおよびｂは（５）式で表される。上添字１および下添字νを付したＰ（ｃｏｓΘ）は、Ｌｅｇｅｎｄｒｅの多項式、下添字ν付のａ、ｂは１次、２次のＲｅｃａｔｔｉ−Ｂｅｓｓｅｌ関数Ψ＊、ζ＊（ただし、「＊」は下添字νを意味する。）とその導関数とからなる。ｍはマトリックスを基準にした光散乱粒子の相対屈折率で、ｍ＝ｎｓｃａｔｔｅｒ／ｎｍａｔｒｉｘである。なお、ｍはマトリックスを基準にした光散乱粒子の相対屈折率であり、マトリックスの屈折率ｎｍａｔｒｉｘおよび光散乱粒子の屈折率ｎｓｃａｔｔｅｒとｍ＝ｎｓｃａｔｔｅｒ／ｎｍａｔｒｉｘの関係にある。
【０１３８】
【数１】
0006668689.tif 000002
【０１３９】
図１９は、上記（１）〜（５）式に基づいて、単一真球粒子による強度分布Ｉ（Α、Θ）を示すグラフである。この図１７では、原点Ｇの位置に光散乱粒子としての真球粒子があり、図１９における下方から入射光が入射した場合の散乱光強度の角度分布Ｉ（Α、Θ）を示している。そして、原点Ｇから各曲線までの距離が、それぞれの散乱角方向の散乱光強度である。ひとつの曲線はΑが１．７であるときの散乱光強度、別の曲線はΑが１１．５であるときの散乱光強度、さらに別の曲線はΑが６９．２であるときの散乱光強度である。なお、図１９においては、散乱光強度を対数目盛で示している。このため、図１７では僅かな強度差として見える部分が、実際には非常に大きな差となる。
【０１４０】
図１９に示すように、サイズパラメータΑが大きくなればなるほど（ある波長λで考えた場合は真球粒子の粒径が大きくなればなるほど）、図１７における上方（照射方向の前方）に対して指向性が高く光が散乱されていることがわかる。また、実際のところ、散乱光強度の角度分布Ｉ（Α、Θ）は、入射光波長λを固定すれば、散乱子の半径ｒと、媒体および光散乱粒子の相対屈折率ｍとをパラメータとして制御することができる。
【０１４１】
このような、単一真球粒子がＮ個含まれる導光板２０等に光が入射すると、光は真球粒子により散乱される。散乱光は導光板２０等中を進み、他の真球粒子により再度散乱される。ある程度以上の体積濃度で粒子を添加した場合には、このような散乱が逐次的に複数回行われた後、光が導光板２０等から出射する。このような散乱光がさらに散乱されるような現象を多重散乱現象と呼ぶ。このような多重散乱においては、透明ポリマーでの光線追跡法による解析は容易ではない。しかし、モンテカルロ法により光の挙動を追跡し、その特性を解析することはできる。それによると、入射光が無偏光の場合、散乱角の累積分布関数Ｆ（Θ）は下記の（６）式で表される。
【０１４２】
【数２】
0006668689.tif 000003
【０１４３】
ここで（６）式中のＩ（Θ）は、（１）式で表されるサイズパラメータΑの真球粒子の散乱強度である。強度Ｉｏの光が導光板２０等に入射し、距離ｙを透過した後、光の強度が散乱によりＩに減衰したとすると、これらの関係は下記の（７）式で表される。
【０１４４】
【数３】
0006668689.tif 000004
【０１４５】
上記の（７）式中のτは濁度と呼ばれ、媒体の散乱係数に相当するものであり、下記の（８）式のように粒子数Ｎに比例する。なお、（８）式中、σｓは散乱断面積である。
【０１４６】
【数４】
0006668689.tif 000005
【０１４７】
（７）式から長さＬの導光板２０等を散乱せずに透過する確率Ｐｔ（Ｌ）は下記の（９）式で表される。
【０１４８】
【数５】
0006668689.tif 000006
【０１４９】
反対に光路長Ｌまでに散乱される確率Ｐｓ（Ｌ）は下記の（１０）式で表される。
【０１５０】
【数６】
0006668689.tif 000007
【０１５１】
これらの式からわかるように、濁度τを変えることにより、導光板２０等内での多重散乱の度合いを制御することができる。
【０１５２】
以上の関係式により、光散乱粒子のサイズパラメータΑと濁度τとの少なくとも１つをパラメータとして、導光板２０等内での多重散乱が制御可能である。
【０１５３】
ここで、導光板２０等に含有されている光散乱粒子は、たとえば、平均粒径が２．４μｍの透光性のシリコーン粒子とすることができる。また、光散乱粒子による散乱係数に相当する散乱パラメータである濁度τは、τ＝０．４９（λ＝５５０ｎｍ）とすることができる。
【符号の説明】
【０１５４】
１，１ａ，１ｘ，２，３，４，５，６，７，８，９，１０，９０１・・照明モジュール
１１・・（左辺側の）第１光源部
１２・・（右辺側の）第２光源部
２０・・導光板
２１・・（左辺側の）端面
２２・・（右辺側の）端面
２３・・第１主面（第１光出射面）
２５，２５ａ，９２５・・光拡散領域
２６・・導光板の周縁部
２７・・導光板の外周端面
２８・・微細光散乱体
２９ａ，２９ｂ・・（前後側の）端面
３０・・ＬＥＤ光源（光源）
４０・・フレーム（取付部材）
４２・・光遮蔽部
４２ａ・・凸部
４２ｂ・・凹部
５０・・拡散板
５１・・凸条部
５２・・光入射面（第２光入射面）
５３・・外周端面
５４・・内側側面
５５・・光入射面（第１光入射面）
５６・・光出射面（第２光出射面）
５７・・波型の凹凸
５８・・Ｖ字状の溝
５９・・拡散板の外周端縁
６０・・反射板
１００・・反射板１００（反射部材）
１０００，１００１…大型照明装置
【図１】
0006668689.tif 000008
【図２】
0006668689.tif 000009
【図３】
0006668689.tif 000010
【図４】
0006668689.tif 000011
【図５】
0006668689.tif 000012
【図６】
0006668689.tif 000013
【図７】
0006668689.tif 000014
【図８】
0006668689.tif 000015
【図９】
0006668689.tif 000016
【図１０】
0006668689.tif 000017
【図１１】
0006668689.tif 000018
【図１２】
0006668689.tif 000019
【図１３】
0006668689.tif 000020
【図１４】
0006668689.tif 000021
【図１５】
0006668689.tif 000022
【図１６】
0006668689.tif 000023
【図１７】
0006668689.tif 000024
【図１８】
0006668689.tif 000025
【図１９】
0006668689.tif 000026
【図２０】
0006668689.tif 000027
【図２１】
0006668689.tif 000028
【図２２】
0006668689.tif 000029
【図２３】
0006668689.tif 000030